【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】  一又は複数の撮像装置より画像データを取得する画像取得手段と、
前記画像取得手段にて取得された前記画像データに、前記画像データに付帯する前記撮像装置の状態情報を反映させた画像データを生成する処理手段と、
前記処理手段により生成された前記画像データを一又は複数の携帯情報端末に対して送信する画像送信手段とを有することを特徴とする情報処理装置。
【請求項２】  前記画像取得手段は、前記撮像装置から送信された画像データをネットワークを介して取得することを特徴とする請求項１に記載の情報処理装置。
【請求項３】  前記画像取得手段は、前記撮像装置の前記状態情報を取得し、前記処理手段は、前記状態情報に基づいて前記撮像装置の制御指示データを生成し、前記画像変換手段により変換された前記画像データに組み込むことを特徴とする請求項１に記載の情報処理装置。
【請求項４】  前記処理手段は、前記画像データの一部区間或いは全体に前記制御指示データを関連付けて組み込むことを特徴とする請求項３に記載の情報処理装置。
【請求項５】  前記処理手段は、前記携帯情報端末に搭載される前記撮像装置を制御可能なソフトウェアの起動の指示情報を、前記画像データに組み込むことを特徴とする請求項１、３、４の何れか１項に記載の情報処理装置。
【請求項６】  前記指示情報は、画像情報の取得先の切り換え前後における撮像装置を指定する情報を含むことを特徴とする請求項５に記載の情報処理装置。
【請求項７】  前記処理手段は、前記撮像装置において所定事象が発生したタイミングで前記画像データを区分分割し、複数の画像区間を順番に連結した上で、それぞれの画像区間に前記制御指示データを関連付けることを特徴とする請求項４に記載の情報処理装置。
【請求項８】  前記処理手段は、一定周期のタイミングで前記画像データを区分分割し、複数の画像区間を順番に連結した上で、それぞれの画像区間に前記制御指示データを関連付けることを特徴とする請求項４に記載の情報処理装置。
【請求項９】  前記処理手段は、各画像区間の時間、各画像区間の優先度及び各画像区間の関連性のうちの少なくとも何れか１つを反映させて、前記複数の画像区間を順番に連結することを特徴とする請求項７又は８に記載の情報処理装置。
【請求項１０】  前記処理手段は、隣接する画像区間に組み込む前記制御指示データと一部重複するように各画像区間に前記制御指示データを冗長に組み込むことを特徴とする請求項７〜９の何れか１項に記載の情報処理装置。
【請求項１１】  前記各画像区間の優先度及び前記各画像区間の関連性は、前記撮像装置側の属性に基づいて決定されることを特徴とする請求項９に記載の情報処理装置。
【請求項１２】  前記撮像装置側の属性は、前記撮像装置に対する制御頻度、前記撮像装置に対する制御回数、及び、前記撮像装置における発生事象内容のうちの少なくとも何れか１つを含むことを特徴とする請求項１１に記載の情報処理装置。
【請求項１３】  前記各画像区間の優先度及び前記各画像区間の関連性は、前記携帯情報端末側の属性に基づいて決定されることを特徴とする請求項９に記載の情報処理装置。
【請求項１４】  前記携帯情報端末側の属性は、前記携帯情報端末の利用者の個人情報及び好み設定のうちの少なくとも何れか１つを含むことを特徴とする請求項１３に記載の情報処理装置。
【請求項１５】  前記画像送信手段は、ＨＴＴＰ（Ｈｙｐｅｒ  Ｔｅｘｔ  Ｔｒａｎｓｆｅｒ  Ｐｒｏｔｏｃｏｌ）によるセッション指向の情報送信処理を実行することを特徴とする請求項１に記載の情報処理装置。
【請求項１６】  前記画像送信手段は、ＳＭＴＰ（Ｓｉｍｐｌｅ  Ｍａｉｌ  Ｔｒａｎｓｆｅｒ  Ｐｒｏｔｏｃｏｌ）による非セッション指向の情報送信処理を実行することを特徴とする請求項１に記載の情報処理装置。
【請求項１７】  一又は複数の撮像装置より画像データを取得する画像取得手段と、前記画像取得手段にて取得された前記画像データに前記画像データに付帯する前記撮像装置の状態情報を反映させた画像データを生成する処理手段とを含む情報処理装置から、前記処理手段にて生成された前記画像データを受信する画像受信手段を有することを特徴とする携帯情報端末。
【請求項１８】  前記情報処理装置が前記撮像装置の前記状態情報に基づいて生成した前記撮像装置の制御指示データを取得する取得手段と、
前記制御指示データに基づいて生成された前記撮像装置に対する制御コマンドを発行するコマンド発行手段とを有することを特徴とする請求項１７に記載の携帯情報端末。
【請求項１９】  前記コマンド発行手段は、前記情報処理装置から取得される接続情報にて示される前記撮像装置に対して前記制御コマンドを発行することを特徴とする請求項１８に記載の携帯情報端末。
【請求項２０】  前記情報処理装置から取得された前記接続情報が複数の撮像装置を示す場合、前記複数の撮像装置から実際の接続先となる前記撮像装置を選択する選択手段を更に有し、
前記コマンド発行手段は、前記選択手段にて選択された撮像装置に対する制御コマンドを発行することを特徴とする請求項１９に記載の携帯情報端末。
【請求項２１】  一又は複数の撮像装置より画像データを画像取得手段にて取得し、
前記画像取得手段にて取得された前記画像データに前記画像データに付帯する前記撮像装置の状態情報を反映させた画像データを生成し、
前記生成された前記画像データを一又は複数の携帯情報端末に対して送信することを特徴とする情報処理方法。
【請求項２２】  請求項２１に記載の情報処理方法をコンピュータに実行させるためのプログラム。
【請求項２３】  請求項２２に記載のプログラムを記録したコンピュータ読み取り可能な記録媒体。
【手続補正２】
【補正対象書類名】明細書
【補正対象項目名】００２１
【補正方法】変更
【補正の内容】
【００２１】
【課題を解決するための手段】
本発明の情報処理装置は、一又は複数の撮像装置より画像データを取得する画像取得手段と、前記画像取得手段にて取得された前記画像データに、前記画像データに付帯する前記撮像装置の状態情報を反映させた画像データを生成する処理手段と、前記処理手段により生成された前記画像データを一又は複数の携帯情報端末に対して送信する画像送信手段とを有することを特徴とする。
本発明の携帯情報端末は、一又は複数の撮像装置より画像データを取得する画像取得手段と、前記画像取得手段にて取得された前記画像データに前記画像データに付帯する前記撮像装置の状態情報を反映させた画像データを生成する処理手段とを含む情報処理装置から、前記処理手段にて生成された前記画像データを受信する画像受信手段を有することを特徴とする。
本発明の情報処理方法は、一又は複数の撮像装置より画像データを画像取得手段にて取得し、前記画像取得手段にて取得された前記画像データに前記画像データに付帯する前記撮像装置の状態情報を反映させた画像データを生成し、前記生成された前記画像データを一又は複数の携帯情報端末に対して送信することを特徴とする。
本発明のプログラムは、前記情報処理方法をコンピュータに実行させることを特徴とする。
本発明のコンピュータ読み取り可能な記録媒体は、前記プログラムを記録したことを特徴とする。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】